(57)【要約】【課題】    物品の表面への汚れの付着を防止したり、付着した汚れを除去したり、又殺菌作用を備える為に、二酸化チタンを塗料に混合して塗布した光触媒トップコートであって、該トップコートが剥離しないようにしている。【解決手段】  二酸化チタンの代わりに表面にシリカ３を被覆したアパタイト被覆二酸化チタン１を使用し、該アパタイト被覆二酸化チタン１はトップコート用の専用シンナーと塗料に混合して塗布される。【選択図】    図５
2005298691.tif 000002
【特許請求の範囲】
【請求項１】
物品の表面への汚れの付着を防止したり、付着した汚れを除去したり、又殺菌作用を備える為に、二酸化チタンを塗料に混合して塗布した光触媒トップコートにおいて、上記二酸化チタンの代わりに表面にシリカを被覆したアパタイト被覆二酸化チタンを使用し、該アパタイト被覆二酸化チタンはトップコート用の専用シンナーと塗料に混合して塗布したことを特徴とするアパタイト被覆二酸化チタンを含有した光触媒トップコート。
【請求項２】
物品の表面への汚れの付着を防止したり、付着した汚れを除去したり、又殺菌作用を備える為に、二酸化チタンを塗料に混合して塗布する光触媒トップコートを形成する製造方法において、上記二酸化チタンの代わりに表面にシリカを被覆したアパタイト被覆二酸化チタンをメタノールに混合して攪拌した後で放置して出来る上澄み液を捨て、その後トップコート用塗料の専用シンナーに混合して攪拌した後で放置して出来る上澄み液を捨て、さらに該アパタイト被覆二酸化チタンをトップコート用塗料に混合して塗布することを特徴とするアパタイト被覆二酸化チタンを含有した光触媒トップコートの製造方法。
【請求項３】
物品の表面への汚れの付着を防止したり、付着した汚れを除去したり、又殺菌作用を備える為に、二酸化チタンを塗料に混合して塗布する光触媒トップコートを形成する製造方法において、上記二酸化チタンの代わりに表面にシリカを被覆したアパタイト被覆二酸化チタンをイオン交換水に混合して攪拌すると共に上澄み液を捨て、残りのアパタイト被覆二酸化チタンをメタノールに混合して攪拌した後で放置して出来る上澄み液を捨て、その後トップコート用塗料の専用シンナーに混合して攪拌した後で放置して出来る上澄み液を捨て、さらに該アパタイト被覆二酸化チタンをトップコート用塗料に混合して塗布することを特徴とするアパタイト被覆二酸化チタンを含有した光触媒トップコートの製造方法。
【発明の詳細な説明】
【技術分野】
【０００１】
本発明は物品の表面を保護して汚れないように、又殺菌作用を備える為に形成するアパタイト被覆二酸化チタンを含有した光触媒トップコート及び該トップコートの製造方法に関するものである。
【背景技術】
【０００２】
一般的に物品の表面を装飾し、又物品下地面を保護する為に塗装が行われているが、該塗装に使用される塗料は色々ある。表面に塗膜を形成することで、色、つや出し、防湿、防食、防腐、防錆など、塗装はその目的に応じて多種多様化されている。例えば、フェノール樹脂、エポキシ樹脂、ポリエステル樹脂などの合成樹脂塗料は乾燥が速くて堅牢で耐久性があることから多くの分野で多用されている。
【０００３】
ところで、近年では物品表面の装飾並びに保護を目的として上記塗料を塗布する場合に限らず、汚れ防止や殺菌作用を備えた塗料として、二酸化チタンを塗料に混合することが行われている。すなわち、二酸化チタンが持っている光触媒機能を利用することが出来る。しかし、塗料に二酸化チタンを混合する場合、二酸化チタンの強力な酸化作用により、物品に含有されている有機物を分解し、３日〜１００日後には表面から剥がれてしまう。
【０００４】
光触媒とは太陽や蛍光灯などの光が当たると、その表面で強力な酸化力が生まれ、接触してくる有機化合物や細菌などの有害物質を除去することが出来る。この原理を用いて、水処理や大気中のNOXの分解、室内空気の浄化など、様々な段階で環境浄化に利用されている。二酸化チタンは「光」の働きを加速化させる「触媒」という観点で多用されている。
【０００５】
二酸化チタンは半導体で、光のエネルギーをもらうことで自らが高エネルギーの状態となり、光が当たった表面の電子を放出する。このときに貰ったエネルギーが十分に高ければ価電子帯にあった電子は一気に伝導帯まで飛び上がり、表面には強力な酸化力が発生する。しかし、二酸化チタンを樹脂液に混合して物品の表面に塗布しても、上記のごとく剥がれ落ちてしまう。
【発明の開示】
【発明が解決しようとする課題】
【０００６】
このように従来の二酸化チタン混合塗料には上記のごとき問題がある。本発明が解決しようとする課題はこれら問題点であり、表面に塗布されるトップコートが剥がれることなく安定して汚れ防止効果及び殺菌効果を発揮することが出来るアパタイト被覆二酸化チタンを含有した光触媒トップコート及び該トップコートの製造方法を提供する。
【課題を解決するための手段】
【０００７】
本発明に係る光触媒トップコートは物品の表面が汚れ難く、殺菌作用を備えるように構成したものである。そこで、アパタイト被覆二酸化チタンを含有したトップコートを表面に形成した表面構造であり、クリアー仕上げの場合には物品の表面にプライマー層を形成し、その上にアパタイト被覆二酸化チタン含有のトップコートを塗布して形成する。又、カラークリアー仕上げの場合には、物品の表面にプライマー層を形成し、その上にカラークリアーを塗布し、トップコート用プライマーを塗布し、そして表面にはアパタイト被覆二酸化チタン含有のトップコートを塗布して形成する。
【０００８】
ところで、アパタイト二酸化チタンはトップコート用塗料と均一に混合することが出来ない為に、シンナーの中にアパタイト被覆二酸化チタンが分散した液を作り、これにトップコート用塗料を混合する。これを物品の表面に塗布することで上記アパタイト被覆二酸化チタンを含有したトップコートが形成される。
【発明の効果】
【０００９】
本発明に係る物品の表面にはトップコートを形成すると共に、該トップコートにはアパタイト被覆二酸化チタンが含有している。このアパタイト被覆二酸化チタンは光を受けて光触媒機能によって汚れの付着を防止することが出来、又付着した汚れを除去することが出来る。しかも、アパタイト被覆二酸化チタンは二酸化チタンをシリカにて被覆している為に、トップコートが剥離を起こすことはない。
【００１０】
本発明はアパタイト被覆二酸化チタンをメタノールに分散させ、この上澄み液を捨て、トップコート用専用シンナーを混合してシンナー中にアパタイト被覆二酸化チタン分散液を作ると共にトップコート用塗料を混合する。従ってアパタイト被覆二酸化チタンはトップコート用塗料と均一に混合される為に、物品の表面にアパタイト被覆二酸化チタンが分散した表面を形成することが出来る。
【実施例】
【００１１】
本発明ではトップコートが剥離しないようにアパタイト被覆二酸化チタンを使用する。図１はアパタイト被覆二酸化チタン１を示す断面拡大図であり、二酸化チタン２の表面をシリカ３が覆っている状態と成っている。すなわち、二酸化チタンを直接使用しない。ただし、このアパタイト被覆二酸化チタン１はそのままではトップコート用塗料に均一に混ざり合わない為に、次の作業工程を経てトップコート用の塗料と混合する。
【００１２】
図２はそのうちの工程であり、(ａ)では容器５にイオン交換水４とアパタイト被覆二酸化チタン１，１・・を入れて十分攪拌する。(ｂ)は攪拌後に暫く放置した場合であり、アパタイト被覆二酸化チタン１，１・・はその比重が１以上である為に底に沈殿し、容器５の上側は上澄み液６となる。(ｃ)は上澄み液６を捨てた場合であり、アパタイト被覆二酸化チタン１，１・・だけが容器５に残される。
【００１３】
そして、この容器５にイオン交換水４を再び入れて(ａ)のように十分攪拌し、暫く放置するならばアパタイト被覆二酸化チタン１，１・・は底に沈殿する。上澄み液６は捨てられて(ｃ)のようにアパタイト被覆二酸化チタンだけが底に残される。この工程を２〜３回繰り返す。
【００１４】
図３は次の工程を表しているが、(ａ)は前記図２(ｃ)に示すアパタイト被覆二酸化チタン１，１・・が残った容器５にメタノール７を注ぎ込んだ場合である。(ｂ)に示すように、攪拌することでアパタイト被覆二酸化チタン１，１・・はメタノール７中に分散する。これを放置して暫くすれば、(ｃ)のようにアパタイト被覆二酸化チタン１，１・・は容器５の底に沈殿する。そして上側には上澄み液８ができ、該上澄み液８は捨てられて(ｄ)のようにアパタイト被覆二酸化チタン１，１・・だけが残される。再び、容器５にメタノール７を入れて攪拌し、暫く放置して上澄み液８を捨て、この作業工程を２〜３回繰り返す。
【００１５】
図４はさらに次の工程を示しているように、(ａ)は前記図３(ｄ)に示すアパタイト被覆二酸化チタン１，１・・が残った容器５にシンナー９を注ぎ込んだ場合である。該シンナー９はトップコート用の塗料専用シンナーが用いられる。(ｂ)に示すように、攪拌することでアパタイト被覆二酸化チタン１，１・・はシンナー９中に分散する。これを放置して暫くすれば、(ｃ)のようにアパタイト被覆二酸化チタン１，１・・は容器５の底に沈殿する。そして上側には上澄み液１０ができ、該上澄み液１０は捨てられて(ｄ)のようにアパタイト被覆二酸化チタン１，１・・だけが残される。再び、容器５にシンナー９を入れて攪拌し、暫く放置して上澄み液１０を捨て、この作業工程を数回繰り返す。
【００１６】
ところで、図４(ｄ)の容器５の底に残ったアパタイト被覆二酸化チタン１，１・・はトップコート用の塗料に混入されて十分攪拌され、この塗料はトップコートを形成する為に物品の表面に塗布される。従って、トップコート中にはアパタイト被覆二酸化チタン１，１・・が点在し、これに光が当たることで光触媒としての作用を発揮する。その結果、物品の表面には汚れが付き難く、付着した汚れは除去される。
【００１７】
図５は本発明のアパタイト被覆二酸化チタンを含有した光触媒トップコートを構成した断面を示している。(ａ)はクリアー仕上げの場合であり、物品の下地面１１にはプライマー１２を塗布し、その上にトップコート１３が形成される。該トップコート１３は前記図４(ｄ)のアパタイト被覆二酸化チタン１，１・・を混合した塗料を塗布して形成される。
【００１８】
図５(ｂ)はカラークリアー仕上げの場合であり、物品の下地面１１にはプライマー１２を塗布し、その上にカラークリアー１４を塗布し、そして別のプライマー１５を塗布し、その上にトップコート１３が形成される。該トップコート１３は(ａ)の場合と同じくアパタイト被覆二酸化チタン１，１・・を混合した塗料を塗布して形成される。
【００１９】
ここで、上記トップコート１３を構成する塗料の種類は特に限定しないが、例えば、アクリル焼付け塗料、アクリルウレタン塗料、フッ素塗料、セラミック塗料などが主に使用される。
【図面の簡単な説明】
【００２０】
【図１】アパタイト被覆二酸化チタンの概略断面拡大図。
【図２】本発明のトップコートの製造方法の１工程。
【図３】本発明のトップコートの製造方法の１工程。
【図４】本発明のトップコートの製造方法の１工程。
【図５】本発明のトップコート。
【符号の説明】
【００２１】
１  アパタイト被覆二酸化チタン
２  二酸化チタン
３  シリカ
４  イオン交換水
５  容器
６  上澄み液
７  メタノール
８  上澄み液
９  シンナー
10  上澄み液
11  下地面
12  プライマー
13  トップコート
14  カラークリアー
15  プライマー
【図１】
2005298691.tif 000003
【図２】
2005298691.tif 000004
【図３】
2005298691.tif 000005
【図４】
2005298691.tif 000006
【図５】
2005298691.tif 000007